(57)【要約】【課題】構造が簡単で、製造コストを低く抑え、埃の侵入を防止できる光制御フィルム及び光学装置を提供する。【解決手段】フィルム１１内に所定のパターンの空孔１２ａ、１２ｂ、１２ｃが形成されているので、光制御フィルム１０を液晶ディスプレイ装置本体１３の前面に設けることにより、構成が簡単で製造コストを抑えることができ、光制御フィルム１０の両側面若しくは上面から操作者以外の他人が覗き見しようとしても液晶ディスプレイ装置本体１３からの光が反射されるので、覗き見を防止することができ、しかも、埃が光制御フィルム１０に侵入することができない。光制御フィルム１０を照明装置本体に設けても、埃が光制御フィルム１０に侵入することが無く、均一に光を照射できる。【選択図】　　　　図１
2004126352.tif 000002
【特許請求の範囲】
【請求項１】
光を透過するフィルム内に所定のパターンの空孔が形成されていることを特徴とする光制御フィルム。
【請求項２】
上記空孔が上記フィルム内に上記フィルムの主面に沿って平行若しくは交差するように複数本形成されているか、略多角形状、略円形状、略楕円形状及び略長円形状のループパターン状に複数本形成されている請求項１に記載の光制御フィルム。
【請求項３】
上記フィルムは積層構造からなり、少なくとも一つの層内に上記空孔が形成されている請求項１または２に記載の光制御フィルム。
【請求項４】
上記空孔が上記フィルムの外縁部に形成されている請求項１から３のいずれかに記載の光制御フィルム。
【請求項５】
上記空孔が上記フィルム内に超短パルスレーザービームを集光及び照射することによって形成された請求項１から３のいずれかに記載の光制御フィルム。
【請求項６】
上記空孔が上記フィルムの主面に対して垂直方向、または斜め方向、或いはこれらの方向の組み合わせで形成されている請求項１から５のいずれかに記載の光制御フィルム。
【請求項７】
請求項１から６のいずれかに記載の光制御フィルムが液晶ディスプレイ装置本体の前面に設けられたことを特徴とする液晶ディスプレイ装置。
【請求項８】
光を透過するフィルム内に空孔がランダムに形成された光制御フィルムが照明装置本体の前面に設けられたことを特徴とする照明装置。
【発明の詳細な説明】
【０００１】
【発明の属する技術分野】
本発明は、光制御フィルム及び光学装置に関する。
【０００２】
【従来の技術】
近年、パソコン、携帯電話、携帯情報端末及びカーナビゲーション機器等に液晶ディスプレイ装置が幅広く普及している。
【０００３】
これらの液晶ディスプレイ装置において、高輝度特性以外に、内部光の出射方向や可視範囲を制御できること、操作者以外の他人からの覗き見による画面の覗き見防止機能を有すること及び太陽光等の外部光の入射を抑えて屋外でも有効に使えること等のユーザー側にとって付加価値の高い機能が要求されるようになってきた。すなわち、操作者以外の他人が、液晶ディスプレイ装置の液晶ディスプレイに表示される画面を、液晶ディスプレイの右側面方向、左側面方向及び上面方向から覗き見ることは容易であった。そのため、操作者の個人情報が漏洩したり、プライバシーが侵害されたりすることがあった。
【０００４】
図１５は、従来の光制御フィルムの外観斜視図である。
【０００５】
図１５に示す光制御フィルム１は、二枚のＰＥＴ（ポリエチレン）フィルム２ａ、２ｂの間に複数のルーバーフィルム３を、ＰＥＴフィルム２ａ、２ｂに対して垂直若しくは斜めになるように配置したものである（例えば、特許文献１参照）。
【０００６】
図１６は、図１５に示した光制御フィルムを液晶ディスプレイ装置本体の画面の前面に設けた状態を示す図である。
【０００７】
図１６に示す液晶ディスプレイの裏面からの光が光制御フィルム１のＰＥＴフィルム２ａ、ルーバーフィルム３及びＰＥＴフィルム２ｂを透過することによって出射光の角度θ（図１５参照）が狭められ、光制御フィルム１を備えた液晶ディスプレイ装置本体４の右側面方向（矢印Ｒ方向）、左側面方向（矢印Ｌ方向）及び上面方向（矢印Ｕ方向）からの操作者以外の他人からの覗き見による情報漏れが防止される（例えば、特許文献１参照）。
【０００８】
また、光制御フィルム１は、太陽等の外部から液晶ディスプレイ装置本体４に入射してくる光を抑圧したり、内部光（液晶ディスプレイ装置本体４に内蔵された光源からの光）の出射方向と可視範囲とを制御する。
【０００９】
また、図示しない照明装置等の前面に設けられる光拡散板も普及してきている。この光拡散板は、光源の光を四方に均一に拡散して放射させることができるものである。光拡散板の表面には微小な凹凸が形成されており、この凹凸はエッチング、研削等によって形成される。
【００１０】
【特許文献１】
特開２００１−２８１４１９号公報（第２頁、図８、９）
【００１１】
【発明が解決しようとする課題】
ところで、従来の光制御フィルム及び光拡散板には、上述のような機能を有するが、構造が複雑で製造コストが高くつき、凹凸や隙間に埃が侵入しやすいという問題がある。
【００１２】
そこで、本発明の目的は上記課題を解決し、構造が簡単で、製造コストを低く抑え、埃の侵入を防止できる光制御フィルム及び光学装置を提供することにある。
【００１３】
【課題を解決するための手段】
本発明の請求項１に係る発明は、光を透過するフィルム内に所定のパターンの空孔が形成されているものである。
【００１４】
本発明の請求項２に係る発明は、請求項１に記載の構成に加え、空孔がフィルム内にこのフィルムの主面に沿って平行若しくは交差するように複数本形成されているか、略多角形状、略円形状、略楕円形状及び略長円形状のループパターン状に複数本形成されていてもよい。
【００１５】
本発明の請求項３に係る発明は、請求項１または２に記載の構成に加え、フィルムは積層構造からなり、少なくとも一つの層内に空孔が形成されていてもよい。
【００１６】
本発明の請求項４に係る発明は、請求項１から３のいずれかに記載の構成に加え、空孔がフィルムの外縁部に形成されていてもよい。
【００１７】
本発明の請求項５に係る発明は、請求項１から３のいずれかに記載の構成に加え、空孔がフィルム内に超短パルスレーザービームを集光及び照射することによって形成されているのが好ましい。
【００１８】
本発明の請求項６に係る発明は、請求項１から５のいずれかに記載の構成に加え、空孔がフィルムの主面に対して垂直方向、または斜め方向、或いはこれらの方向の組み合わせで形成されていてもよい。
【００１９】
本発明の請求項７に係る発明は、請求項１から６のいずれかに記載の光制御フィルムが液晶ディスプレイ装置本体の前面に設けられていてもよい。
【００２０】
本発明の請求項８に係る発明は、光を透過するフィルム内に空孔がランダムに形成された光制御フィルムが照明装置本体の前面に設けられているものである。
【００２１】
本発明によれば、フィルム内に所定のパターンの空孔が形成されているので、構成が簡単となり製造コストを低く抑えることができ、光制御フィルムを液晶ディスプレイ装置本体の前面に設けることにより、光制御フィルムの両側面若しくは上面から操作者以外の他人が覗き見しようとしても液晶ディスプレイ装置本体からの光が反射されるので、覗き見を防止することができる。
【００２２】
また、光制御フィルムを照明装置本体に設けても、埃が光制御フィルムに侵入することが無く、均一に光を拡散して放射できる。
【００２３】
【発明の実施の形態】
以下、本発明の好適な実施の形態を添付図面に基づいて詳述する。
【００２４】
図１（ａ）は、本発明の光制御フィルムの一実施の形態を示す平面図であり、図１（ｂ）は、図１（ａ）のＩｂ−Ｉｂ線断面図であり、図１（ｃ）は、図１（ａ）のＩｃ−Ｉｃ線断面図である。
【００２５】
本光制御フィルム１０は、光を透過する厚さｔのフィルム１１内に、厚さ方向の内径がｄで、面方向の内径がｗである複数のループパターン状、すなわち、矩形状の空孔１２ａ、１２ｂ、１２ｃ（図では三本であるが限定されない。）が間隔ｓを隔てて、略入れ子状に形成されたものである。
【００２６】
つまり、空孔１２ａ、１２ｂ、１２ｃの平面形状はフィルム１１の主面１１ａに対して矩形状になると共に、側面形状はフィルム１１の主面１１ａに対して垂直な直線状になるように形成されているのである。
【００２７】
これらの空孔１２ａ、１２ｂ、１２ｃは、超短パルスレーザービームをフィルム１１内に集光、照射して、超短パルスレーザービーム或いはフィルム１１を相対移動させるドライプロセスにより形成される。
【００２８】
超短パルスレーザービームとしては、波長を２５０ｎｍから１６００ｎｍの範囲内（好ましくは８００ｎｍの波長）から選び、パルス幅を数十ｆｓ（フェムト秒）から数千フェムト秒の範囲内より選ぶのが好ましい。パルスの繰り返し周波数は１０Ｈｚから２００ｋＨｚの範囲内より選ぶのが好ましい。平均出力は数十ｍＷから数百ｍＷの範囲内より選ぶのが好ましい。フィルム１１が高分子材料からなる場合には、超短パルスレーザービームの波長は、２５０ｎｍから１６００ｎｍの範囲内であって、高分子材料層の紫外線吸収波長とは異なる波長域を選ぶが、特に、紫外線吸収波長からずれた可視光域或いは近赤外光域から選ぶのが好ましい。
【００２９】
ここで、フィルム１１内に空孔１２ａ、１２ｂ、１２ｃを作製するのにパルス幅がピコ秒或いはフェムト秒の超短パルスレーザービームを用いている。超短パルスレーザービームは、瞬間的に高い光強度を持ちながら平均強度が低いので、照射されたフィルム１１がガラスまたはポリマからなる場合は熱的なダメージを受けることなく、短時間でフィルム１１内に微小サイズの空孔１２ａ、１２ｂ、１２ｃを形成することができる。なお、空孔１２ａ、１２ｂ、１２ｃの内径ｄ、ｗ及びパターンは、超短パルスレーザービームのパワー若しくはフィルム１１の移動速度を調節することにより制御することができる。
【００３０】
本光制御フィルム１０に用いられるフィルム１１には、ポリイミド、ポリエチレン、ポリスチレン、ポリカーボネート、シリコーン、ポリシラン等の高分子材料からなるフィルムや、ゾルゲル法で作製され、ガラス、有機物を添加したガラス等からなり、光透過率の良いフィルム（画面に写り出される文字等が見える程度の透過率を持つフィルム）が用いられる。
【００３１】
ここで、フィルム１１として高分子材料を用いる場合には、高分子材料に吸収されにくい超短パルスレーザービームの波長を選ぶ必要がある。すなわち、フィルム表面が超短パルスレーザービーム照射で変質して劣化させないようにしなければならない。
【００３２】
図１（ａ）〜（ｃ）に示す光制御フィルムを液晶ディスプレイ装置本体に設けることにより、覗き見及び埃の侵入を防止することができる。また、同図に示す光制御フィルムを照明装置本体に設けることにより、均一な光を放射することができ、埃の侵入を防止することができる。
【００３３】
図２は、図１（ａ）〜（ｃ）に示した光制御フィルムを液晶ディスプレイ装置本体に設けた状態を示す外観斜視図である。
【００３４】
本光制御フィルム１０は、空孔１２ａ、１２ｂ、１２ｃ（図１（ａ）〜（ｃ）参照）とフィルム１１との比屈折率差を３０％以上にすることができるので、本光制御フィルム１０を液晶ディスプレイ装置本体１３の前面（液晶表示画面）に設けることにより、操作者以外の他人が、液晶ディスプレイ装置本体１３の右側面方向、左側面方向及び上下方向から覗き見しようとしても、液晶ディスプレイ装置本体１３から光制御フィルム１０に入射した光の臨界角が略９０度となり、空孔１２ａ、１２ｂ、１２ｃで略完全に反射されるので、液晶ディスプレイ画面に描かれた文字、数字及び画像等の可視光情報を覗き見ることができない。空孔１２ａ、１２ｂ、１２ｃはフィルム１１内に形成されているので、埃が外部から侵入することはない。
【００３５】
また、液晶ディスプレイ装置本体１３の前面に光制御フィルム１０を設けても、空孔１２ａ、１２ｂ、１２ｃの内径ｗが空孔１２ａ、１２ｂ、１２ｃの間隔ｓより小さいので、液晶ディスプレイ画面の光がほとんど透過し、透過率の低下を心配する必要がない。これとは逆に、光制御フィルム１０の外部から太陽光や蛍光灯等の外部光が入射しようとしても（この場合、外部光は光制御フィルム１０内に斜めに入射する。）、光制御フィルム１０の空孔１２ａ、１２ｂ、１２ｃで反射されて液晶ディスプレイに到達し、再度、空孔１２ａ、１２ｂ、１２ｃで反射されて操作者にはほとんど到達しないので、従来のような不必要な反射による見難さを解消することができる。
【００３６】
なお、図１（ａ）〜（ｃ）に示した本実施の形態では、空孔１２ａ、１２ｂ、１２ｃがフィルム１１の外縁部にだけ形成された場合を示したが、本発明はこれに限定されるものではなく、空孔１２ａ、１２ｂ、１２ｃがフィルム１１内に一様に形成されていてもよい。
【００３７】
図３（ａ）は、本発明の光制御フィルムの他の実施の形態を示す平面図であり、図３（ｂ）は、図３（ａ）のＩＩＩｂ−ＩＩＩｂ線断面図であり、図３（ｃ）は、図３（ａ）のＩＩＩｃ−ＩＩＩｃ線断面図である。
【００３８】
図３（ａ）〜（ｃ）に示す光制御フィルム２０の図１（ａ）〜（ｃ）に示した光制御フィルム１０との相違点は、空孔２２ａ、２２ｂ、２２ｃの平面形状が円形状である点である。
【００３９】
図３（ａ）〜（ｃ）に示す光制御フィルム２０は、光を透過するフィルム２１内に、フィルム２１の厚さ方向の内径がｄで、面方向の内径がｗで、フィルム２１の主面２１ａに沿うように複数の空孔２２ａ、２２ｂ、２２ｃが同心円状かつ等間隔ｓになるように形成されたものである。このような光制御フィルム２０においても図１（ａ）〜（ｃ）に示した光制御フィルム１０と同様な効果が得られる。
【００４０】
本実施の形態では、空孔２２ａ、２２ｂ、２２ｃがフィルム２１の外縁部にだけ形成された場合を示したが、本発明はこれに限定されるものではなく、空孔２２ａ、２２ｂ、２２ｃがフィルム２１内に一様に形成されていてもよい。
【００４１】
図４（ａ）は、本発明の光制御フィルムの他の実施の形態を示す平面図であり、図４（ｂ）は、図４（ａ）のＩＶｂ−ＩＶｂ線断面図であり、図４（ｃ）は、図４（ａ）のＩＶｃ−ＩＶｃ線断面図である。
【００４２】
図４（ａ）〜（ｃ）に示す光制御フィルム３０と図１（ａ）〜（ｃ）に示す光制御フィルム１０との相違点は、空孔３２ａ、３２ｂ、３２ｃの平面形状がだ円形状である点である。このような光制御フィルム３０においても図１（ａ）〜（ｃ）に示した光制御フィルム１０と同様な効果が得られる。
【００４３】
本実施の形態では、空孔３２ａ、３２ｂ、３２ｃがフィルム３１の外縁部にだけ形成された場合を示したが、本発明はこれに限定されるものではなく、空孔３２ａ、３２ｂ、３２ｃがフィルム３１内に一様に形成されていてもよい。
【００４４】
図５（ａ）は、本発明の光制御フィルムの他の実施の形態を示す平面図であり、図５（ｂ）は、図５（ａ）のＶｂ−Ｖｂ線断面図であり、図５（ｃ）は、図５（ａ）のＶｃ−Ｖｃ線断面図である。
【００４５】
図５（ａ）〜（ｃ）に示す光制御フィルム４０の図１（ａ）〜（ｃ）に示す光制御フィルム１０との相違点は、空孔４２ａ、４２ｂ、４２ｃの平面形状が長円形状である点である。このような光制御フィルム４０においても図１（ａ）〜（ｃ）に示した光制御フィルム１０と同様な効果が得られる。
【００４６】
本実施の形態では、空孔４２ａ、４２ｂ、４２ｃがフィルム４１の外縁部にだけ形成された場合を示したが、本発明はこれに限定されるものではなく、空孔４２ａ、４２ｂ、４２ｃがフィルム４１内に一様に形成されていてもよい。
【００４７】
図６（ａ）は、本発明の光制御フィルムの他の実施の形態を示す平面図であり、図６（ｂ）は、図６（ａ）のＶＩｂ−ＶＩｂ線断面図であり、図６（ｃ）は、図６（ａ）のＶＩｃ−ＶＩｃ線断面図である。
【００４８】
図６（ａ）〜（ｃ）に示す光制御フィルム５０の図１（ａ）〜（ｃ）に示す光制御フィルム１０との相違点は、空孔５２ａ、５２ｂ、５２ｃ、５２ｄ、５２ｅ、５２ｆの平面形状が矩形状ではなく、直線状に形成されている点である。
【００４９】
本光制御フィルム５０は、光を透過するフィルム５１内に、厚さ方向の内径がｄで、面方向の内径がｗで、フィルム５１の主面５１ａに対して直線状かつ平行に形成された空孔５２ａ、５２ｂ、５２ｃ、５２ｄ、５２ｅ、５２ｆを有するものである。図６（ａ）では、空孔５２ａ、５２ｂ、５２ｃ、５２ｄ、５２ｅ、５２ｆはフィルム５１の両側の外縁部に形成されているが、フィルム５１内に一様に形成されていてもよい。このような光制御フィルム５０を液晶ディスプレイ装置本体１３（図２参照）の前面に設けることにより、液晶ディスプレイ装置の左右から操作者以外の他人が覗き見しても空孔５２ａ、５２ｂ、５２ｃ、５２ｄ、５２ｅ、５２ｆにより遮られるので、覗き見ることができない。
【００５０】
図７（ａ）は、本発明の光制御フィルムの他の実施の形態を示す平面図であり、図７（ｂ）は、図７（ａ）のＶＩＩｂ−ＶＩＩｂ線断面図であり、図７（ｃ）は、図７（ａ）のＶＩＩｃ−ＶＩＩｃ線断面図である。
【００５１】
図７（ａ）〜（ｃ）に示す光制御フィルム６０の図１（ａ）〜（ｃ）に示す光制御フィルム１０との相違点は、空孔６２の平面形状が、格子状に形成されている点である。
【００５２】
本光制御フィルム６０は、光を透過するフィルム６１内に、フィルム６１の厚さ方向の内径がｄで、面方向の内径がｗで、フィルム６１の主面６１ａに沿って平行な直線が縦横に形成された格子状の空孔６２を有するものである。このような光制御フィルム６０を液晶ディスプレイ装置本体１３（図２参照）の前面に設けることにより、液晶ディスプレイ装置の左右及び上下から操作者以外の他人が覗き見しても空孔６２により遮られるので、覗き見ることができない。
【００５３】
図８は、図１（ａ）〜（ｃ）に示した光制御フィルムの他の実施の形態を示す断面図である。
【００５４】
図８に示した光制御フィルム６５の図１（ａ）〜（ｃ）に示した光制御フィルム１０との相違点は、一方の主面６６ｂ（図では下面）から他方の主面６６ａ（この場合、上面）に向かって広がるように、空孔６７ａ、６７ｂ、６７ｃが斜めに形成されている点である。このような光制御フィルム６５においても図１（ａ）〜（ｃ）に示した光制御フィルム１０と同様な効果が得られる。
【００５５】
図９は、図１（ａ）〜（ｃ）に示した光制御フィルムの他の実施の形態を示す断面図である。
【００５６】
図９に示した光制御フィルム６８の図１（ａ）〜（ｃ）に示した光制御フィルム１０との相違点は、一方の主面６９ｂ（図では下面）から他方の主面６９ａ（この場合、上面）に向かって狭まるように、空孔７０ａ、７０ｂ、７０ｃが斜めに形成されている点である。このような光制御フィルム６８においても図１（ａ）〜（ｃ）に示した光制御フィルム１０と同様な効果が得られる。
【００５７】
図１０は、図１（ａ）〜（ｃ）に示した光制御フィルムの他の実施の形態を示す断面図である。
【００５８】
図１０に示した光制御フィルム７１の図１（ａ）〜（ｃ）に示した光制御フィルム１０との相違点は、複数の空孔７３がフィルム７２の厚さ方向に形成された点である。すなわち、複数の矩形平面状の空孔７３がフィルム７２の厚さ方向に所定の間隔を隔てて形成されているのである。このような光制御フィルム７１においても図１（ａ）〜（ｃ）に示した光制御フィルム１０と同様な効果が得られる。
【００５９】
なお、図８〜１０に示した光制御フィルムにおいて、空孔の平面形状を矩形状として説明したが本発明の光制御フィルムはこれに限定されるものではない。
【００６０】
図１１は、図１（ａ）〜（ｃ）に示した光制御フィルムの他の実施の形態を示す断面図である。
【００６１】
図１１に示した光制御フィルム７４の図１（ａ）〜（ｃ）に示した光制御フィルム１０との相違点は、フィルム７５を積層構造にした点である。
【００６２】
本光制御フィルム７４は、光を透過する積層構造（図では二層であるが、限定されない。）のフィルム７５の一層（図では下層７５ｂ）に図１（ｂ）に示すような空孔７６ａ、７６ｂ、７６ｃが形成されたものである。このような光制御フィルム７４においても図１（ａ）〜（ｃ）に示した光制御フィルム１０と同様な効果が得られる。また、この光制御フィルム７４は、フィルム層７５ａ、７５ｂのうちの少なくとも一つのフィルム層７５ｂ内に空孔７６ａ、７６ｂ、７６ｃを形成し、空孔７６ａ、７６ｂ、７６ｃが形成された層以外の最も外側になるフィルム層７５ａ（この場合、上側）に帯電防止や紫外線防止等の機能を付加させてもよい。
【００６３】
図１２は、図１１に示した光制御フィルムの変形例を示す断面図である。
【００６４】
図１２に示した光制御フィルム７７の図１１に示した光制御フィルム７４との相違点は、空孔７９ａ、７９ｂ、７９ｃの一方の主面側（図では上面）をフィルム７８ｂから露出するように形成し、他のフィルム７８ａで空孔７９ａ、７９ｂ、７９ｃを覆った点である。このような光制御フィルム７７においても図１１に示した光制御フィルム７４と同様な効果が得られる。なお、他のフィルム７８ａに帯電防止や紫外線防止等の機能を付加させてもよい。
【００６５】
図１３は、図１（ａ）〜（ｃ）に示した光制御フィルムの他の実施の形態を示す断面図である。
【００６６】
図１３に示した光制御フィルム８０は、略球形状の空孔８２がフィルム８１内にランダムに大量（図においては正確に描画していないが、実際には数百個以上）に形成されているものである。この光制御フィルム８０を照明装置本体（図示せず）の前面に設けることにより、四方に均一な光を放射することが可能なだけでなく、空孔８２がフィルム８１内に形成されているので、埃が侵入することはない。
【００６７】
図１４は、図１（ａ）〜（ｃ）に示した光制御フィルムの他の実施の形態を示す断面図である。
【００６８】
図１４に示した光制御フィルム８３の図１３に示した光制御フィルム８０との相違点は、空孔８５が円錐状に形成されている点である。この光制御フィルム８３は、透明なフィルム８４内に一方の主面８４ｂ（図では下面）から他方の主面８４ａ（この場合、上面）に向かって断面積が広がる円錐状の空孔８５が多数形成されたものである。
【００６９】
この光制御フィルム８３を照明装置本体（図示せず）の前面に設けて、照明装置側（この場合、下面）からの光を光制御フィルム８３で拡散させ、上面８４ａから見た場合に、この光拡散用光制御フィルム８３により、光が均一に拡散される。下面８４ｂからの入射光は円錐状の空孔８５で拡散され、上面８４ａには広い視野角で光が拡散される。円錐の頂角が大きいほど、光拡散効果を大きくすることができる。また、この光制御フィルム８３も埃が侵入することはない。
【００７０】
【実施例】
（実施例１）
次に、本発明の光制御フィルムの一実施例を図１（ａ）〜（ｃ）を参照して説明する。
【００７１】
光制御フィルム１０の材料として、ポリイミドフィルムを用いる。このポリイミドフィルムの厚さｔは０．１ｍｍから０．５ｍｍの範囲内とした。フィルムの面積（主面１１ａの面積）は、液晶ディスプレイ装置本体１３（図２参照）のサイズ、例えば、Ａ５、Ａ４、Ｂ５及びＢ４サイズ等である。このポリイミドフィルム内に、面方向の内径ｗが１μｍ以上、０．１ｍｍ以下であり、厚さ方向の内径ｄがこのポリイミドフィルムの厚さの３０％以上、９５％以下である空孔１２ａ、１２ｂ、１２ｃを矩形平面状に形成した。空孔１２ａ、１２ｂ、１２ｃはフィルム１１の外縁部に形成されているので、光制御フィルム１０の主面１１ａに対して左右方向、上下方向から斜めに入射した光は、空孔１２ａ、１２ｂ、１２ｃで全反射される。一方、光制御フィルム１０に対して正面、すなわち略垂直に入射した光は透過することができる。
【００７２】
また、空孔１２ａ、１２ｂ、１２ｃがフィルム１１内に形成されているので、埃が侵入することはない。
【００７３】
したがって、この光制御フィルム１０を、例えばパソコンのディスプレイの前面に設けた場合には、操作者以外の他人が、ディスプレイの斜め方向からディスプレイの画面情報を覗き見することができず、操作者のみが、ディスプレイの正面方向から画面情報を見ることができる。
【００７４】
光制御フィルム１０には、ポリイミドフィルム以外にポリエチレン、ポリシランフィルム、シリコーンフィルム等のポリマフィルムを用いることができる。また、ゾルゲル法で作製したゾルゲルフィルム（ガラス、有機物を添加したガラス等）を用いてもよい。空孔１２ａ、１２ｂ、１２ｃは、平行若しくは交差するように複数本形成されているか、略多角形状、略円形状、略楕円形状、略長円形状等のループパターン状に複数本形成されていてもよい。
【００７５】
（実施例２）
次に、光制御フィルムの他の実施例を図１３を参照して説明する。
【００７６】
略球形状の空孔８２がフィルム８１内にランダムに大量（図においては正確に描画していないが、実際には数百個以上）に形成した。この空孔８２の内径ｕは、０．５μｍ以上、５μｍ以下の範囲内とした。また空孔８２の間隔ｖは、１μｍ以上、１０μｍ以下の範囲内とした。空孔８２をフィルム８１内に一様に形成した光制御フィルム８０を図示しない照明装置本体に設けることにより、照明装置本体からの光が均一に四方に拡散されるだけでなく、光制御フィルム８０内に埃が侵入することはない。
【００７７】
なお、空孔８２の厚さ方向に対する段数は、図では二段であるが三段以上、十段以下程度の構成でもよい。
【００７８】
以上要するに本発明により、以下の優れた効果を発揮する。
【００７９】
（１）本光制御フィルムは、フィルム内に所定のパターンの空孔を形成し、液晶ディスプレイ装置本体に設けるという簡単な構成により製造コストを低く抑えることができ、操作者以外の他人が、左右方向及び上下方向からディスプレイ画面を覗き見しようとしても、液晶ディスプレイからの光制御フィルムへの入射光の臨界角が９０度になり、左右方向及び上下方向からの光は空孔で略完全に反射されるので、液晶ディスプレイ上の文字や数字等の情報を覗き見ることができなくなる。また、光制御フィルム内への埃の侵入も防止できる。
【００８０】
（２）本光制御フィルムは、光の透過率のよいフィルム内に空孔を形成したものであるので、この光制御フィルムを設けたことによる液晶ディスプレイ画面の透過率の低下を心配する必要がない。また、外部から入射する光はフィルムの空孔で反射されるので、液晶ディスプレイからの不要な反射光を防止できる。
【００８１】
（３）本光制御フィルムは、空孔の平面形状がフィルムの主面に沿って平行若しくは交差するように複数本形成されているか、略多角形状、略円形状、略楕円形状及び略長円形状のループパターン状に複数本形成されているものであるから、高性能な覗き見防止を期待できる。
【００８２】
（４）本光制御フィルムを積層構造にし、少なくとも一つのフィルム層内に空孔を形成することにより、最も外側となるフィルム層に帯電防止や紫外線防止の機能を付加させることができる。
【００８３】
（５）空孔をフィルムの外縁部に形成することによって得られた光制御フィルムを液晶ディスプレイ装置本体に設けることで、液晶ディスプレイの左右、上下方向からの覗き見防止効果が得られ、略正面から液晶ディスプレイを操作する人にとっては画面の輝度の低下が少ないので、操作に影響を及ぼすことが少ない。
【００８４】
（６）超短パルスレーザービームを用いることにより、短時間でフィルム内に所定のパターンの空孔を形成することが可能となる。
【００８５】
（７）本光制御フィルムを液晶ディスプレイ装置本体の前面に設けることにより、覗き見防止効果、外部光による液晶ディスプレイ画面の見難さを解消することができ、輝度の向上等を期待できる。
【００８６】
（８）本光制御フィルムを照明装置本体の前面に設けることにより、従来のようなＰＥＴフィルム、空気層の透過による損失がなく、液晶ディスプレイから光制御フィルムへ入射する際の損失が少ないので四方に均一な光を効率的に放射するだけでなく、光制御フィルム内への埃の侵入を防止した照明装置が実現できる。
【００８７】
【発明の効果】
以上要するに本発明によれば、構造が簡単で、製造コストを低く抑え、埃の侵入を防止できる光制御フィルム及び光学装置の提供を実現することができる。
【図面の簡単な説明】
【図１】（ａ）は、本発明の光制御フィルムの一実施の形態を示す平面図であり、（ｂ）は、（ａ）のＩｂ−Ｉｂ線断面図であり、（ｃ）は、（ａ）のＩｃ−Ｉｃ線断面図である。
【図２】本発明の光制御フィルムを液晶ディスプレイ装置本体に設けた状態を示す外観斜視図である。
【図３】（ａ）は、本発明の光制御フィルムの他の実施の形態を示す平面図であり、（ｂ）は、（ａ）のＩＩＩｂ−ＩＩＩｂ線断面図であり、（ｃ）は、（ａ）のＩＩＩｃ−ＩＩＩｃ線断面図である。
【図４】（ａ）は、本発明の光制御フィルムの他の実施の形態を示す平面図であり、（ｂ）は、（ａ）のＩＶｂ−ＩＶｂ線断面図であり、（ｃ）は、（ａ）のＩＶｃ−ＩＶｃ線断面図である。
【図５】（ａ）は、本発明の光制御フィルムの他の実施の形態を示す平面図であり、（ｂ）は、（ａ）のＶｂ−Ｖｂ線断面図であり、（ｃ）は、（ａ）のＶｃ−Ｖｃ線断面図である。
【図６】（ａ）は、本発明の光制御フィルムの他の実施の形態を示す平面図であり、（ｂ）は、（ａ）のＶＩｂ−ＶＩｂ線断面図であり、（ｃ）は、（ａ）のＶＩｃ−ＶＩｃ線断面図である。
【図７】（ａ）は、本発明の光制御フィルムの他の実施の形態を示す平面図であり、（ｂ）は、（ａ）のＶＩＩｂ−ＶＩＩｂ線断面図であり、（ｃ）は、（ａ）のＶＩＩｃ−ＶＩＩｃ線断面図である。
【図８】図１（ａ）〜（ｃ）に示した光制御フィルムの他の実施の形態を示す断面図である。
【図９】図１（ａ）〜（ｃ）に示した光制御フィルムの他の実施の形態を示す断面図である。
【図１０】図１（ａ）〜（ｃ）に示した光制御フィルムの他の実施の形態を示す断面図である。
【図１１】図１（ａ）〜（ｃ）に示した光制御フィルムの他の実施の形態を示す断面図である。
【図１２】図１１に示した光制御フィルムの変形例を示す断面図である。
【図１３】図１（ａ）〜（ｃ）に示した光制御フィルムの他の実施の形態を示す断面図である。
【図１４】図１（ａ）〜（ｃ）に示した光制御フィルムの他の実施の形態を示す断面図である。
【図１５】従来の光制御フィルムの外観斜視図である。
【図１６】従来の光制御フィルムを液晶ディスプレイ装置本体の画面の前面に設けた状態を示す図である。
【符号の説明】
１０　光制御フィルム
１１　フィルム
１２ａ、１２ｂ、１２ｃ　空孔
１３　液晶ディスプレイ装置本体
【図１】
2004126352.tif 000003
【図２】
2004126352.tif 000004
【図３】
2004126352.tif 000005
【図４】
2004126352.tif 000006
【図５】
2004126352.tif 000007
【図６】
2004126352.tif 000008
【図７】
2004126352.tif 000009
【図８】
2004126352.tif 000010
【図９】
2004126352.tif 000011
【図１０】
2004126352.tif 000012
【図１１】
2004126352.tif 000013
【図１２】
2004126352.tif 000014
【図１３】
2004126352.tif 000015
【図１４】
2004126352.tif 000016
【図１５】
2004126352.tif 000017
【図１６】
2004126352.tif 000018